(57)【要約】【課題】本発明は短時間で注水可能であり、節水効果を持ち、給水間隔時間を延長可能にし、栽培部と貯水タンク部の大きさおよび園芸鉢の高さを段階的に可変にし、低コストで製作かつ、レイアウト性に優れ、シリーズ化が可能な園芸鉢を提供することを課題とする。【解決手段】上部鉢（１）内に栽培部（２）中間部に空気層（７）下部鉢（９）内に貯水タンク部（１０）を持ち、貯水タンク部（１０）から栽培部（２）へ毛細管現象により給水する給水部材（３）を持ち、下部鉢（９）上部に注水穴兼用ドレン（８）を持ち、上部鉢（１）と下部鉢（９）の間に接合部材（６）を持ち嵌合部１（１２）の接合部材上部嵌合外径寸法（１６）及び接合部材上部嵌合内径寸法（１７）と嵌合部２（１３）の下部鉢嵌合外径寸法（１９）および下部鉢嵌合内径寸法（２０）を同一とし、上部鉢嵌合寸法（１５）接合部材上部嵌合外径寸法（１６）接合部材下部嵌合寸法（１８）を各々一定にし、接合部材（６）の数を変更でき、上部鉢（１）と下部鉢（９）を交換出来ることを特徴とする園芸鉢。【選択図】図３
2005027542.tif 000002
【特許請求の範囲】
【請求項１】
上部鉢（１）内に栽培部（２）中間部に空気層（７）下部鉢（９）内に貯水タンク部（１０）を持ち、貯水タンク部（１０）から栽培部（２）へ毛細管現象により給水する給水部材（３）を持ち、下部鉢（９）上部に注水穴兼用ドレン（８）を持ち、上部鉢（１）と下部鉢（９）の間に接合部材（６）を持ち嵌合部１（１２）の接合部材上部嵌合外径寸法（１６）及び接合部材上部嵌合内径寸法（１７）と嵌合部２（１３）の下部鉢嵌合外径寸法（１９）および下部鉢嵌合内径寸法（２０）を同一とし、上部鉢嵌合寸法（１５）接合部材上部嵌合外径寸法（１６）接合部材下部嵌合寸法（１８）を各々一定にし、接合部材（６）の数を変更でき、上部鉢（１）と下部鉢（９）を交換出来ることを特徴とする園芸鉢。
【請求項２】
上部鉢（１）に上部鉢足（５）を持ち、上部鉢足（５）は嵌合部１上部鉢外径（２１）と嵌合部１上部鉢高さ（２２）以上の上部鉢足内径（２９）と上部鉢足高さ（３０）を持つことを特徴とする請求項１記載の園芸鉢。
【請求項３】
上部鉢（１）の形状を上部鉢かたぎ（２５）と上部鉢曲線（２６）または上部鉢かたぎ（２５）もしくは上部鉢曲線（２６）のみで構成された形状を持った浅皿型形状としたことを特徴とする請求項１記載の園芸鉢。
【請求項４】
下部鉢（９）に内部を視認可能な窓（２８）を持つことを特徴とする請求項１記載の園芸鉢。
【発明の詳細な説明】
【０００１】
【発明の属する技術分野】
本発明は給水間隔時間を延長可能にした園芸鉢に関する物である。
【０００２】
【従来の技術】
従来の園芸鉢は図１２に示すように上部鉢（１）と下部鉢（９）２部品が種々の方法で結合または接合され、上部鉢（１）内に栽培部（２）と空孔（４）と水切り部（２３）を持った物である。
【０００３】
【発明が解決しようとする課題】
しかしながら、以上の従来技術によれば、植物の必要とする水分は栽培部（２）に蓄えられた水分のみであり、量が少なく天候、季節、栽培植物の種類等によるが、毎日又は数日おきに給水する必要が有り、必要給水量は不明確であり、通常は多めに給水し、過給水時は水切り部（２３）を経由して垂れ流しであり、また上部鉢（１）と下部鉢（９）の各部寸法は固定され、１対１の関係のみしか使用出来ず園芸鉢の大きさ、高さを変更することは出来なかった。
【０００４】そこで、本発明は短時間で注水可能であり、節水効果を持ち、給水間隔時間を延長可能にし、栽培部と貯水タンク部の大きさおよび園芸鉢の高さを段階的に可変にし、低コストで製作かつ、レイアウト性に優れ、シリーズ化が可能な園芸鉢を提供することを課題とする。
【０００５】
【課題を解決するための手段】
本発明（請求項１に記載の第１発明）は、上部鉢（１）内に栽培部（２）中間部に空気層（７）下部鉢（９）内に貯水タンク部（１０）を持ち、貯水タンク部（１０）から栽培部（２）へ毛細管現象により給水する給水部材（３）を持ち、下部鉢（９）上部に注水穴兼用ドレン（８）を持ち、上部鉢（１）と下部鉢（９）の間に接合部材（６）を持ち嵌合部１（１２）の接合部材上部嵌合外径寸法（１６）及び接合部材上部嵌合内径寸法（１７）と嵌合部２（１３）の下部鉢嵌合外径寸法（１９）および下部鉢嵌合内径寸法（２０）を同一とし、上部鉢嵌合寸法（１５）接合部材上部嵌合外径寸法（１６）接合部材下部嵌合寸法（１８）を各々一定にし、接合部材（６）の数を変更でき、上部鉢（１）と下部鉢（９）を交換出来ることを特徴とする園芸鉢。
【０００６】本発明（請求項２に記載の第２発明）は、上部鉢（１）に上部鉢足（５）を持ち、上部鉢足（５）は嵌合部１上部鉢外径（２１）と嵌合部１上部鉢高さ（２２）以上の上部鉢足内径（２９）と上部鉢足高さ（３０）を持つことを特徴とする請求項１記載の園芸鉢。
【０００７】本発明（請求項３に記載の第３発明）は、上部鉢（１）の形状を上部鉢かたぎ（２５）と上部鉢曲線（２６）または上部鉢かたぎ（２５）もしくは上部鉢曲線（２６）のみで構成された形状を持った浅皿型形状としたことを特徴とする請求項１記載の園芸鉢
【０００８】本発明（請求項４に記載の第４発明）は、下部鉢（９）に内部を視認可能な窓（２８）を持つことを特徴とする請求項１記載の園芸鉢。
【発明の実施の形態】
発明の実施の形態を実施例にもとづき図面を参照して説明する。
【０００９】
第１発明の一実施形態を図１、図２、図３、図４、図５、図６、図７、図８に示す。本発明は、上部鉢（１）内に栽培部（２）中間部に空気層（７）下部鉢（９）内に貯水タンク部（１０）を設け、毛細管現象を持つ給水部材（３）で貯水タンク部（１０）から栽培部（２）へ自動的に給水を行い、植物の必要とする水分を補給する。
【００１０】栽培部（２）は従来の園芸鉢と同じく底部中央付近に空孔（４）を持つ上部鉢（１）で形成され、植物の栽培を行う。
【００１１】空気層（７）は上部鉢（１）の嵌合部１上端面（１１）と下部鉢（９）上部の注水穴兼用ドレン（８）の位置で決まる貯水タンク部（１０）の水位最高位置（１４）で形成され、栽培部（２）と貯水タンク部（１０）が連通し、植物の根が水没するのを防止する。
【００１２】貯水タンク部（１０）は下部鉢（９）上部の注水穴兼用ドレン（８）の位置より下の部分で形成され、給水と下部鉢（９）を安定させるための水を蓄え、液体肥料等を混合して使用も可能。
【００１３】給水部材（３）は貯水タンク部（１０）の水位最低位置（２７）から空気層（７）と上部鉢（１）の空孔（４）を貫通し、栽培部（２）に到達しており、毛細管現象により給水を行う。
【００１４】給水部材（３）は毛細管現象を持ち、植物、環境に害を与えない物で有れば使用可能で有り、例えばペーパータオル、ぼろきれ等も使用出来、植物の種類、数により自由に材質、数、多きさを変更して使用できる。
【００１５】水位最低位置（２７）は強風等で園芸鉢が転倒するのを防止するのに必要な水量で決定される。
【００１６】雨等で栽培部（２）から水が浸入した場合は上部鉢（１）に設けられた空孔（４）から水が空気層（７）を経由して貯水タンク部（１０）に滴下し、貯水タンク部（１０）の水位最高位置（１４）を超えた時は注水穴兼用ドレン（８）から排水し、貯水タンク部（１０）の水位最高位置（１４）に水位を保ち、栽培部（２）と貯水タンク部（１０）が連通し、植物の根が水没するのを防止する。
【００１７】運搬時は下部鉢上端開口部（２４）からいったん排水し、軽くしてから移動させることも出来る。
【００１８】注水穴兼用ドレン（８）は貯水タンク部（１０）に直接注水を可能にし、過注水時排水し、貯水タンク部（１０）の水位最高位置（１４）に水位を保つ。
【００１９】上部鉢（１）と下部鉢（９）の間に接合部材（６）を持ち嵌合部１（１２）の接合部材上部嵌合外径寸法（１６）及び接合部材上部嵌合内径寸法（１７）と嵌合部２（１３）の下部鉢嵌合外径寸法（１９）および下部鉢嵌合内径寸法（２０）を同一とし、上部鉢嵌合寸法（１５）接合部材上部嵌合外径寸法（１６）接合部材下部嵌合寸法（１８）を各々一定にし、接合部材（６）の数を変更でき、上部鉢（１）と下部鉢（９）を交換出来る。
【００２０】本発明の製作等においては、素焼き、陶磁器、ガラス、樹脂、金属等の他に一般に利用されているものは全て利用可能である。
【００２１】第２発明の一実施形態を図４と図５に示す。上部鉢（１）に上部鉢足（５）を持ち、上部鉢足（５）は嵌合部１上部鉢外径（２１）と嵌合部１上部鉢高さ（２２）以上の上部鉢足内径（２９）と上部鉢足高さ（３０）を持ち、上部鉢足（５）により上部鉢（１）は他の部材と接合しない単体使用時に安定を保つことが出来、従来の園芸鉢と同様に使用が可能であることを特徴とする請求項１記載の園芸鉢。
【００２２】第３発明の一実施形態を図９に示す。上部鉢（１）の形状において栽培植物が根を張った状態で容易に栽培部（２）を上部鉢（１）から分離可能な上部鉢かたぎ（２５）と上部鉢曲線（２６）または上部鉢かたぎ（２５）もしくは上部鉢曲線（２６）のみで構成された形状を持った浅皿型形状としたことを特徴とする請求項１記載の園芸鉢。
【００２３】第４発明の一実施形態を図１０と図１１に示す。下部鉢（９）に内部を視認可能な窓（２８）を持つことにより貯水タンク部（１０）の水位を確認出来、窓（２８）の下部鉢への取り付け方法は貯水タンク部（１０）の水が漏れなければ下部鉢内外への溶着、接着等いかなる方法でも可能で有ることを特徴とする請求項１記載の園芸鉢。
【００２４】
【発明の効果】
本発明は、以上説明したように構成されているので以下に記載されるような効果を奏する。
【００２５】本発明の第１発明によれば、大きな容量を持つ貯水タンク部の水を毛細管現象により自動的に給水を行い、園芸鉢への給水間隔時間を大幅に延長可能であり、保有マンション等を花で飾り入居率の向上を図るオーナー、自宅に花を飾りたいが給水時間を確保出来ない単身赴任者や共働きの方、オフィス等に鑑賞用植物をレンタルする業者等が給水工数を低減出来るメリットが有る。
【００２６】大きな注水穴兼用ドレンを持つため、短時間で注水が可能、オフィス等で水が注水穴兼用ドレンから床にこぼれるのを防止したい時は嵌合部２から分離して水があふれないように注水も可能、園芸鉢用受け皿を使用する事により少々のオーバーフローした水は受け止める事も可能で有る。
【００２７】接合部材上部嵌合内外径寸法と下部鉢嵌合内外径寸法を同一とし、他嵌合部の寸法を一定にしたことにより、吸水部材の毛細管現象が許容する高さまで接合部材の数を変えられ、段階的に園芸鉢の高さを変えることが出来、狭い場所等で栽培植物の日照も考慮したレイアウトも可能で有り上部鉢と下部鉢各々の大きさを変えた物の使用も可能で有り栽培植物の種類大きさに合わせた栽培部と貯水タンク部の大きさを構成可能で有り容易にシリーズ化が図れまた栽培部の大きさが同一であれば貯水タンク部の大きさを拡大することにより更なる給水間隔時間の延長も可能で有る。
【００２８】従来園芸鉢に追加する部材は樹脂成型部材又は既存の部材を使用可能であり、低コストで有る。
【００２９】貯水タンク部から排水して軽量化したあと移動も可能で有り、移動が楽である。
【００３０】貯水タンク部の水に液体肥料等を混合しておけば、長期間効果を持続出来る。
【００３１】貯水タンク部の水位最高位置に開口する注水穴兼用ドレンを持ち、注水に必要な量を注水出来、節水効果がある。
【００３２】上部鉢の栽培用土と下部鉢の水位最低位置より下の水の重さにより安定を保つことが出来、強風等による転倒を防止可能。
【００３３】本発明の第２発明によれば、前記第１発明の効果に加え、上部鉢足を持つ事により上部鉢を単体で従来の園芸鉢と同様に使用出来、植物が鑑賞に堪える状態になった時点で接合部材と下部鉢を組み合わせることが出来、余分な接合部材と下部鉢を必要としなく安価で有り、またあらかじめ植物植込み時給水部材をセットしておけば上部鉢の交換のみで鑑賞する植物を交換可能。
【００３４】本発明の第３発明によれば、前記第１発明、第２発明の効果に加え、タオル等の給水部材使用時は給水部材の腐食により１年草の草花程度にしか使用出来なかったこのタイプの園芸鉢において上部鉢かたぎと上部鉢曲線または上部鉢かたぎもしくは上部鉢曲線のみで構成された形状を持った浅皿型形状にすることにより吸水部材が腐食する間に栽培植物は十分に栽培部に根を張ることが出来、栽培部と上部鉢が容易に脱着可能で有り、給水部材の交換を容易に出来またこの効果により樹木、宿根草等の多年草にも対応可能で有る。
【００３５】本発明の第４発明によれば、前記第１発明、第２発明、第３発明の効果に加え、下部鉢に内部を視認可能な窓を持つことにより、容易に貯水タンク部の水位を確認出来、給水必要時期の判断が可能で有り、窓の下部鉢への取り付け方法は貯水タンク部の水が漏れなければ下部鉢内外への溶着、接着等いかなる方法でも可能で有る。
【００３６】窓は下部鉢の水位最低位置をほぼ中央部にして視認可能な位置に設置すればより正確な注水時期を把握可能で有る。
【００３７】
【図面の簡単な説明】
【図１】第１発明の一実施形態を示す上面視図。
【図２】第１発明の一実施形態を示す側面視図。
【図３】図１のＡ−Ａ断面図。
【図４】上部鉢の上面視図。
【図５】図４のＢ−Ｂ断面図。
【図６】接合部材の縦断面図。
【図７】下部鉢の上面視図。
【図８】下部鉢の側面視図。
【図９】第３発明の上部鉢の縦断面図。
【図１０】第４発明の下部鉢の側面視図。
【図１１】図１０のＣ−Ｃ断面図。
【図１２】従来技術を示す縦断面図。
【符号の説明】
１上部鉢
２栽培部
３給水部材
４空孔
５上部鉢足
６接合部材
７空気層
８注水穴兼用ドレン
９下部鉢
１０貯水タンク部
１１嵌合部１上端面
１２嵌合部１
１３嵌合部２
１４水位最高位置
１５上部鉢嵌合寸法
１６接合部材上部嵌合外径寸法
１７接合部材上部嵌合内径寸法
１８接合部材下部嵌合寸法
１９下部鉢嵌合外径寸法
２０下部鉢嵌合内径寸法
２１嵌合部１上部鉢外径
２２嵌合部１上部鉢高さ
２３水切り部
２４下部鉢上端開口部
２５上部鉢かたぎ
２６上部鉢曲線
２７水位最低位置
２８窓
２９上部鉢足内径
３０上部鉢足高さ
【図１】
2005027542.tif 000003
【図２】
2005027542.tif 000004
【図３】
2005027542.tif 000005
【図４】
2005027542.tif 000006
【図５】
2005027542.tif 000007
【図６】
2005027542.tif 000008
【図７】
2005027542.tif 000009
【図８】
2005027542.tif 000010
【図９】
2005027542.tif 000011
【図１０】
2005027542.tif 000012
【図１１】
2005027542.tif 000013
【図１２】
2005027542.tif 000014